(57)【要約】  本願は、通信技術の分野に関し、特に、デジタルプリディストーション処理方法および装置に関する。本願は、デジタルプリディストーション処理方法および装置を提供する。マルチチャネル電力増幅器のデジタルプリディストーション処理は、１つのフィードバックリンクおよび１つのデジタルプリディストーション処理器を用いることによって、デプリコーディング処理によってサポートされる。加えて、電力増幅器によって増幅された後に、プリコーディングされた信号が、プリディストーションパラメータ計算のために、フィードバックリンクにフィードバックされ、送信信号の質を改善する。本願の複数の実施形態において提供されるデジタルプリディストーション処理方法および装置は、送信デバイスの実装のコストおよび複雑性を低減しながら、マルチトランジットチャネル電力増幅器の出力の線形性および効率を改善し、さらにシステム性能全体を改善することが意図される。
2019536381.tif 000002
【特許請求の範囲】
【請求項１】
デジタルプリディストーション処理器、プリコーディングおよびベースバンド信号変換部、フィードバック信号変換部、デプリコーダ、およびプリディストーションパラメータ計算部を備えるデジタルプリディストーション処理装置であって、
前記デジタルプリディストーション処理器は、第１のベースバンド信号を受信して、プリディストーションパラメータに基づいて前記第１のベースバンド信号でデジタルプリディストーション処理を実行して第２のベースバンド信号を取得し、前記第２のベースバンド信号を前記プリコーディングおよびベースバンド信号変換部に送信するように構成され、
前記プリコーディングおよびベースバンド信号変換部は、前記第２のベースバンド信号でプリコーディングおよびベースバンド信号変換を実行してＮ個のチャネルのプリコーディングされた無線周波数信号を取得し、前記Ｎ個のチャネルのプリコーディングされた無線周波数信号を電力増幅器に送信するように構成され、Ｎ≧１であり、
前記フィードバック信号変換部は、前記電力増幅器によって増幅されたＮ個のチャネルの無線周波数信号をフィードバックリンクに結合し、前記フィードバックリンク内のＮ個のチャネルの無線周波数信号をＮ個のチャネルの第３のベースバンド信号に変換し、前記Ｎ個のチャネルの第３のベースバンド信号を前記デプリコーダに送信するように構成され、
前記デプリコーダは、前記Ｎ個のチャネルの第３のベースバンド信号をデプリコーディングして第４のベースバンド信号を取得し、前記第４のベースバンド信号を前記プリディストーションパラメータ計算部に送信するように構成され、
前記プリディストーションパラメータ計算部は、前記第１のベースバンド信号および前記第４のベースバンド信号に基づいてプリディストーションパラメータを計算し、計算を通して取得された前記プリディストーションパラメータを前記デジタルプリディストーション処理器に送信するように構成される、
装置。
【請求項２】
前記フィードバック信号変換部が、前記電力増幅器によって増幅された前記Ｎ個のチャネルの無線周波数信号を前記フィードバックリンクに結合することは、
前記フィードバックリンクに、前記電力増幅器によって出力された前記Ｎ個のチャネルの無線周波数信号を結合すること、または、
前記フィードバックリンクに、アンテナによって送信されるべき前記Ｎ個のチャネルの無線周波数信号を結合することを含む、
請求項１に記載の装置。
【請求項３】
周期的な前記第１のベースバンド信号を前記デジタルプリディストーション処理器に送信するように構成されるプリディストーションキャリブレーション信号送信部をさらに備える、請求項１または２に記載の装置。
【請求項４】
前記フィードバック信号変換部は、前記フィードバックリンク内の前記無線周波数信号を前記第３のベースバンド信号に変換するように構成される無線周波数信号変換器を備える、請求項１から３のいずれか１項に記載の装置。
【請求項５】
前記フィードバック信号変換部はさらに、前記フィードバックリンク内の前記Ｎ個のチャネルの無線周波数信号から少なくとも１つのチャネルの無線周波数信号を選択し、前記少なくとも１つのチャネルの無線周波数信号を前記無線周波数信号変換器に送信するように構成されるマルチチャネルセレクタを備える、請求項４に記載の装置。
【請求項６】
前記プリコーディングおよびベースバンド信号変換部は、位相シフタおよびベースバンド信号変換器を備え、
前記位相シフタは、プリコーディング行列に基づいて前記第２のベースバンド信号で振幅および／または位相調整を実行して、プリコーディングされたベースバンド信号を取得し、前記プリコーディングされたベースバンド信号を前記ベースバンド信号変換器に送信するように構成され、
前記ベースバンド信号変換器は、受信された前記プリコーディングされたベースバンド信号を前記プリコーディングされた無線周波数信号に変換するように構成される、
請求項１から５のいずれか１項に記載の装置。
【請求項７】
前記プリコーディングおよびベースバンド信号変換部はベースバンド信号変換器および位相シフタを備え、
前記ベースバンド信号変換器は、受信された前記第２のベースバンド信号を無線周波数信号に変換するように構成され、
前記位相シフタは、プリコーディング行列に基づいて前記無線周波数信号で振幅および／または位相調整を実行し、前記プリコーディングされた無線周波数信号を取得するように構成される、
請求項１から５のいずれか１項に記載の装置。
【請求項８】
前記プリコーディングおよびベースバンド信号変換部は、ベースバンド信号変換器、電力スプリッタ、および位相シフタを備え、
前記ベースバンド信号変換器は、前記第２のベースバンド信号を１個のチャネルの無線周波数信号に変換するように構成され、
前記電力スプリッタは、前記チャネルの無線周波数信号を前記Ｎ個のチャネルの無線周波数信号に分割し、前記Ｎ個のチャネルの無線周波数信号を前記位相シフタに送信するように構成され、
前記位相シフタは、プリコーディング行列に基づいて前記無線周波数信号で振幅および／または位相調整を実行し、前記プリコーディングされた無線周波数信号を取得するように構成される、
請求項１から５のいずれか１項に記載の装置。
【請求項９】
前記プリコーディングされた無線周波数信号を受信し、前記プリコーディングされた無線周波数信号を増幅し、増幅された前記プリコーディングされた無線周波数信号をアンテナに送信するように構成される、電力増幅器をさらに備える、請求項１から８のいずれか１項に記載の装置。
【請求項１０】
請求項１から９のいずれか１項に記載のデジタルプリディストーション処理装置と、アンテナとを備える、無線送受信装置。
【請求項１１】
請求項１０に記載の無線送受信装置を備える、基地局。
【請求項１２】
デジタルプリディストーション処理方法であって、
プリディストーションパラメータに基づいて第１のベースバンド信号でデジタルプリディストーション処理を実行し、第２のベースバンド信号を取得する段階と、
プリコーディング行列に基づいて前記第２のベースバンド信号でプリコーディングおよびベースバンド信号変換処理を実行し、Ｎ個のチャネルのプリコーディングされた無線周波数信号を取得する段階であって、Ｎ≧１である、段階と、
電力増幅器を用いることによって、前記Ｎ個のチャネルのプリコーディングされた無線周波数信号を増幅する段階と、
前記電力増幅器によって増幅されたＮ個のチャネルの無線周波数信号を、フィードバックリンクに結合し、Ｎ個のチャネルの無線周波数信号をＮ個のチャネルの第３のベースバンド信号に変換する段階と、
前記Ｎ個のチャネルの第３のベースバンド信号をデプリコーディングして、第４のベースバンド信号を取得する段階と、
第１のベースバンド信号および前記第４のベースバンド信号に基づいてプリディストーションパラメータを計算する段階と、
を備える、方法。
【請求項１３】
前記電力増幅器によって増幅されたＮ個のチャネルの無線周波数信号をフィードバックリンクに結合する前記段階は、
前記フィードバックリンクに、前記電力増幅器によって出力された前記Ｎ個のチャネルの無線周波数信号を結合する段階、または、
前記フィードバックリンクに、アンテナによって送信されるべき前記Ｎ個のチャネルの無線周波数信号を結合する段階
を含む、請求項１２に記載の方法。
【請求項１４】
前記第１のベースバンド信号は周期的な信号である、請求項１２または１３に記載の方法。
【請求項１５】
前記電力増幅器によって増幅された前記Ｎ個のチャネルの無線周波数信号をフィードバックリンクに結合し、Ｎ個のチャネルの無線周波数信号をＮ個のチャネルの第３のベースバンド信号に変換する前記段階は、
無線周波数信号結合をＭ回およびフィードバック信号変換をＭ回実行することによって、前記電力増幅器によって増幅された前記Ｎ個のチャネルの無線周波数信号を前記フィードバックリンクに結合し、前記Ｎ個のチャネルの無線周波数信号を前記Ｎ個のチャネルの第３のベースバンド信号に変換する段階を含み、１≦Ｍ≦Ｎである、請求項１２から１４のいずれか１項に記載の方法。
【請求項１６】
プリコーディング行列に基づいて前記第２のベースバンド信号で前記プリコーディングおよびベースバンド信号変換処理を実行する前記段階は、
前記第２のベースバンド信号で振幅および／または位相調整を実行し、Ｎ個のチャネルのプリコーディングされたベースバンド信号を取得する段階と、
前記Ｎ個のチャネルのプリコーディングされたベースバンド信号を、前記Ｎ個のチャネルのプリコーディングされた無線周波数信号に変換する段階と、
を含む、請求項１２から１５のいずれか１項に記載の方法。
【請求項１７】
プリコーディング行列に基づいて前記第２のベースバンド信号でプリコーディングおよびベースバンド信号変換処理を実行する前記段階は、
前記第２のベースバンド信号をＮ個のチャネルの無線周波数信号に変換する段階と、
前記プリコーディング行列に基づいて前記Ｎ個のチャネルの無線周波数信号で振幅および／または位相調整を実行し、前記Ｎ個のチャネルのプリコーディングされた無線周波数信号を取得する段階と、
を含む、請求項１２から１５のいずれか１項に記載の方法。
【発明の詳細な説明】
【技術分野】
【０００１】
本願は、通信技術の分野に関し、特に、デジタルプリディストーション処理方法および装置に関する。
【背景技術】
【０００２】
無線信号送信デバイスにおいて、通信の質に影響を与える１つの重要な要因は、電力増幅器（ＰＡ、Ｐｏｗｅｒ  Ａｍｐｌｉｆｉｅｒ）が電力増幅器の非線形領域で動作するために生成される、送信信号の歪みである。現在、デジタルプリディストーション（Ｄｉｇｉｔａｌ  Ｐｒｅｄｉｓｔｏｒｔｉｏｎ、ＤＰＤ）技術が、ＰＡ歪みの課題を解決するための一般的方法である。その方法は、ＰＡがＰＡの非線形領域で動作するときに生成される歪みを低減することによって、ＰＡ効率を改善し得る。
【０００３】
大規模多入力多出力技術（Ｍａｓｓｉｖｅ  ｍｕｌｔｉｐｌｅ−ｉｎｐｕｔ  ｍｕｌｔｉｐｌｅ−ｏｕｔｐｕｔ、Ｍａｓｓｉｖｅ  ＭＩＭＯ）用途シナリオにおいて、送信デバイスの送信チャネルの数は増加し、従来のデジタルプリディストーション装置がなおも用いられる場合、デジタルプリディストーション処理器およびフィードバックリンクは送信チャネルごとに配置される必要がある。結果として、送信デバイスのコストおよびリンクの複雑性は著しく増加する。現在のマルチチャネルデジタルプリディストーション処理解決方法において、デジタルプリディストーション処理器およびフィードバックリンクの数が減少する場合、デジタルプリディストーショントレーニングおよび処理は、複数のチャネルで交代で実行される必要がある。チャネルの数がより大きいと、デジタルプリディストーション処理効率をより低くすることになる。結果として、キャリブレーション実装要件を満たすことができず、システム性能が影響をきたす。
【０００４】
このため、送信デバイスの実装のコストおよび複雑性を縮小し、マルチチャネル電力増幅器の出力の線形性および効率を保証し、システム性能を改善する、複数送信チャネルのデジタルプリディストーションキャリブレーションの方法および装置が所望されている。
【発明の概要】
【０００５】
本明細書は、デジタルプリディストーション処理方法および装置を説明し、これによって、フィードバックリンクにおいてデプリコーディング処理を実行することによって、複数の送信チャネルが１つのフィードバックリンクおよび１つのデジタルプリディストーション処理器を共有する。このように、送信デバイスの実装のコストおよび複雑性が減少しながら、マルチトランジットチャネル電力増幅器の出力の線形性および効率が改善され、システム性能全体がさらに改善される。
【０００６】
第１の態様によると、本願の一実施形態は、デジタルプリディストーション処理器、プリコーディングおよびベースバンド信号変換部、フィードバック信号変換部、デプリコーダ、およびプリディストーションパラメータ計算部を含む、デジタルプリディストーション処理装置を提供する。デジタルプリディストーション処理器は、第１のベースバンド信号を受信し、プリディストーションパラメータに基づいて第１のベースバンド信号でデジタルプリディストーション処理を実行し、第２のベースバンド信号を取得し、第２のベースバンド信号をプリコーディングおよびベースバンド信号変換部に送信するように構成される。プリコーディングおよびベースバンド信号変換部は、第２のベースバンド信号でプリコーディングおよびベースバンド信号変換を実行し、Ｎ個のチャネルのプリコーディングされた無線周波数信号を取得し、Ｎ個のチャネルのプリコーディングされた無線周波数信号を電力増幅器に別々に送信するように構成され、ここで、Ｎ≧１である。フィードバック信号変換部は、電力増幅器によって増幅されたＮ個のチャネルの無線周波数信号をフィードバックリンクに結合し、フィードバックリンクにおけるＮ個のチャネルの無線周波数信号をＮ個のチャネルの第３のベースバンド信号に変換し、Ｎ個のチャネルの第３のベースバンド信号をデプリコーダに送信するように構成される。デプリコーダは、Ｎ個のチャネルの第３のベースバンド信号をデプリコーディングし、第４のベースバンド信号を取得し、第４のベースバンド信号をプリディストーションパラメータ計算部に送信するように構成される。プリディストーションパラメータ計算部は、第１のベースバンド信号および第４のベースバンド信号に基づいてプリディストーションパラメータを計算し、計算を通して取得されたプリディストーションパラメータをデジタルプリディストーション処理器に送信するように構成される。オプションで、第１のベースバンド信号は、サービス信号であってよく、または、デジタルプリディストーション処理に専用で用いられる信号であってよい。専用信号を用いることによる計算によって取得されたプリディストーションパラメータは、また、サービス信号でデジタルプリディストーション処理を実行する処理に適用されてよい。Ｎ個のチャネルの信号は、フィードバックリンクにおいてデプリコーディング処理を実行することによって、１個のチャネルの信号に変換されてよい。このように、マルチチャネルプリディストーション処理は、１つのフィードバックリンクおよび１つのプリディストーション処理器を用いることによってサポートされ得る。加えて、フィードバックリンクへと結合された、Ｎ個のチャネルの増幅された無線周波数信号は、プリコーディングされ、送信チャネルごとの電力増幅器の歪みなどの情報を含み、無線信号受信端部（例えば、ユーザ機器）において受信された信号と同様である。プリディストーションパラメータは信号を用いることによって計算される。このように、受信端部における信号の信号対干渉ノイズ合計比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）は、プリディストーション処理の間にさらに増加し得、シ��テム性能全体はさらに改善される。
【０００７】
可能な設計において、フィードバック信号変換部が、電力増幅器によって増幅されたＮ個のチャネルの無線周波数信号をフィードバックリンクに結合することは、フィードバックリンクに、電力増幅器によって出力されたＮ個のチャネルの無線周波数信号を結合すること、または、フィードバックリンクに、アンテナによって送信されるべきＮ個のチャネルの無線周波数信号を結合することを含む。電力増幅器によって出力された無線周波数信号は、送信リンクにおいて生成された信号の歪み情報の大部分を含み、受信端部で受信された真信号と同様であり、無線周波数信号はプリディストーションパラメータ計算のためにフィードバックリンクに結合される。これは、受信端部で受信された信号でプリディストーション処理を実行することと同等である。言い換えれば、受信端部におけるＳＩＮＲおよびアウトオブバンド相互変調インジケータが、プリディストーションパラメータを取得するためのターゲットとして用いられる。このように、スペクトル漏れ抑制効果が改善され得、エラーベクトル振幅（Ｅｒｒｏｒ  Ｖｅｃｔｏｒ  Ｍａｇｎｉｔｕｄｅ、ＥＶＭ）が減少し得る。言い換えれば、受信端部の信号の、信号対干渉ノイズ合計比およびアウトオブバンド相互変調インジケータは増加し、システム性能は改善される。アンテナによって送信されるべき無線周波数信号は、電力増幅器によって増幅されて空間への放射のためのアンテナに送信される無線周波数信号である。信号はさらに、アンテナ構成要素の処理の間に引き起こされる信号の歪みを含み、受信端部で受信された真信号と一層同様であり、信号はプリディストーションパラメータを計算するように用いられる。このように、受信端部での信号の信号対干渉ノイズ合計比はさらに増加し得、システム性能は改善される。
【０００８】
可能な設計において、装置は、第１のベースバンド信号をデジタルプリディストーション処理器に送信するように構成されたプリディストーションキャリブレーション信号送信部をさらに含む。オプションで、第１のベースバンド信号は周期的な信号であってよい。オプションで、プリディストーションキャリブレーション信号送信部は、独立の信号送信装置および／またはモジュールであってよく、または、別の信号送信装置と一体化されてよい。プリディストーションキャリブレーション信号送信部が配置され、特定のデジタルプリディストーション処理要求に基づいて第１のベースバンド信号を送信し得る。このように、サービス信号への影響は回避され、サービス信号の特徴がデジタルプリディストーション処理要求を満たさないシナリオも、またサポートされ得る。専用信号を用いることによる計算によりデジタルプリディストーション処理装置によって取得されたプリディストーションパラメータは、サービス信号でデジタルプリディストーション処理を実行する処理にもまた適用され得る。デジタルプリディストーション処理は周期的なベースバンド信号を用いることによって実行され、送信リンクにおける無線周波数信号は、プリディストーションパラメータを計算するために、複数回フィードバックを実行することによってフィードバックリンクにフィードバックされ得る。このように、フィードバックリンクにおける無線周波数信号を変換するように用いられる構成要素は減少し、処理の複雑性は減少する。
【０００９】
可能な設計において、フィードバック信号変換部は、フィードバックリンクにおける無線周波数信号を第３のベースバンド信号に変換するように構成された、無線周波数信号変換器を含む。オプションで、フィードバック信号変換部は、フィードバックリンクにおけるＮ個のチャネルの無線周波数信号を、Ｎ個のチャネルの第３のベースバンド信号にそれぞれ変換するように構成された、Ｎ個の無線周波数信号変換器を含んでよい。
【００１０】
可能な設計において、フィードバック信号変換部は、フィードバックリンクにおけるＮ個のチャネルの無線周波数信号から少なくとも１つのチャネルの無線周波数信号を選択し、少なくとも１つのチャネルの無線周波数信号を無線周波数信号変換器に送信するように構成された、マルチチャネルセレクタをさらに含む。オプションで、フィードバック信号変換部はマルチチャネルセレクタと、少なくとも１つの無線周波数信号変換器とを含んでよい。マルチチャネルセレクタはフィードバックリンクにおけるＮ個のチャネルの無線周波数信号から少なくとも１つのチャネルの無線周波数信号を選択し、少なくとも１つのチャネルの無線周波数信号を少なくとも１つの無線周波数信号変換器に送信する。無線周波数信号変換器は、受信された無線周波数信号を第３のベースバンド信号に変換する。マルチチャネルセレクタは、複数のフィードバック処理において、Ｎ個のチャネルの無線周波数信号をフィードバックリンクに結合することをサポートし得、Ｎ個のチャネルの無線周波数信号は、変換を複数回実行することによって、Ｎ個のチャネルの第３のベースバンド信号に変換される。この処理の態様は、フィードバックリンクに結合されてベースバンド信号に変換されるとき、同じ処理リンクを時間で分割する複数のチャネルの無線周波数信号をサポートし得、さらに、フィードバックリンクのハードウェアのコストおよび実装の複雑性を縮小し得る。例えば、無線周波数信号変換器の数は減少してもよい。オプションで、同じ第１のベースバンド信号は、周期的なベースバンド信号の送信と協調することによって、周期的に複数回送信されてよく、送信された第１のベースバンド信号で、一回ごとに同じプリコーディング処理が実行され、フィードバックリンクにおける少なくとも１つのチャネルの無線周波数信号は、対応する第３のベースバンド信号に一回ごとに変換され、フィードバックおよび変換が複数回実行された後に、Ｎ個のチャネルの第３のベースバンド信号が取得される。
【００１１】
上述の２つの可能な設計を参照すると、オプションで、無線周波数信号変換器は、アナログ信号をデジタル信号に変換するように構成され、または、アナログ無線周波数信号をデジタルベースバンド信号に変換するように構成される、アナログ−デジタル変換器（Ａｎａｌｏｇ  ｔｏ  Ｄｉｇｉｔａｌ  Ｃｏｎｖｅｒｔｅｒ、ＡＤＣ）を含む。オプションで、無線周波数信号変換器は、無線周波数信号をベースバンドにシフトし、ベースバンド信号を取得するように構成された、周波数混合器をさらに含んでよい。
【００１２】
可能な設計において、プリコーディングおよびベースバンド信号変換部は位相シフタおよびベースバンド信号変換器を含む。位相シフタは、プリコーディング行列に基づいて第２のベースバンド信号で振幅および／または位相調整を実行して、プリコーディングされたベースバンド信号を取得し、プリコーディングされたベースバンド信号をベースバンド信号変換器に送信するように構成される。ベースバンド信号変換器は、受信されたプリコーディングされたベースバンド信号を、プリコーディングされた無線周波数信号に変換するように構成される。オプションで、プリコーディングおよびベースバンド信号変換部は、Ｎ個の位相シフタおよびＮ個のベースバンド信号変換器を含んでよい。Ｎ個の位相シフタは、プリコーディング行列に基づいて第２のベースバンド信号で振幅および／または位相調整を別々に実行して、Ｎ個のチャネルのプリコーディングされたベースバンド信号を取得し、Ｎ個のチャネルのプリコーディングされたベースバンド信号をＮ個のベースバンド信号変換器にそれぞれ送信するように、構成される。Ｎ個のベースバンド信号変換器は、受信されたＮ個のチャネルのプリコーディングされたベースバンド信号を、Ｎ個のチャネルのプリコーディングされた無線周波数信号に、それぞれ変換するように構成される。
【００１３】
可能な設計において、プリコーディングおよびベースバンド信号変換部は、ベースバンド信号変換器および位相シフタを含む。ベースバンド信号変換器は、受信された第２のベースバンド信号を無線周波数信号に変換するように構成される。位相シフタは、プリコーディング行列に基づいて無線周波数信号で振幅および／または位相調整を実行し、プリコーディングされた無線周波数信号を取得するように構成される。オプションで、プリコーディングおよびベースバンド信号変換部は、Ｎ個のベースバンド信号変換器およびＮ個の位相シフタを含んでよい。Ｎ個のベースバンド信号変換器は、受信された第２のベースバンド信号を、Ｎ個のチャネルの無線周波数信号に別々に変換するように構成される。Ｎ個の位相シフタは、プリコーディング行列に基づいてＮ個のチャネルの無線周波数信号上で、振幅および／または位相調整をそれぞれ実行し、Ｎ個のチャネルのプリコーディングされた無線周波数信号を取得するように構成される。
【００１４】
可能な設計において、プリコーディングおよびベースバンド信号変換部は、ベースバンド信号変換器、電力スプリッタ、および位相シフタを含む。ベースバンド信号変換器は、第２のベースバンド信号を１個のチャネルの無線周波数信号に変換するように構成される。電力スプリッタは、そのチャネルの無線周波数信号をＮ個のチャネルの無線周波数信号に分割し、Ｎ個のチャネルの無線周波数信号を位相シフタに送信するように構成される。位相シフタは、プリコーディング行列に基づいて無線周波数信号の振幅および／または位相調整を実行し、プリコーディングされた無線周波数信号を取得するように構成される。オプションで、プリコーディングおよびベースバンド信号変換部は、１つのベースバンド信号変換器、１つの電力スプリッタ、およびＮ個の位相シフタを含んでよい。ベースバンド信号変換器は、第２のベースバンド信号を１個のチャネルの無線周波数信号に変換するように構成される。電力スプリッタは、そのチャネルの無線周波数信号をＮ個のチャネルの無線周波数信号に分割し、Ｎ個のチャネルの無線周波数信号をＮ個の位相シフタに送信するように構成される。Ｎ個の位相シフタは、プリコーディング行列に基づいてＮ個のチャネルの無線周波数信号上で振幅および／または位相調整をそれぞれ実行し、Ｎ個のチャネルのプリコーディングされた無線周波数信号を取得するように構成される。第２のベースバンド信号は、まず１個のチャネルの無線周波数信号に変換され、そして、電力スプリッタによって、そのチャネルの無線周波数信号はＮ個のチャネルの同じ無線周波数信号に分割され、Ｎ個のチャネルの無線周波数信号はプリコーディングされる。この処理の態様は、処理リンクのハードウェアのコストおよび実装の複雑性を、さらに縮小し得る。例えば、ベースバンド信号変換器の数が減少する。
【００１５】
上述の３つの可能な設計を参照すると、オプションで、ベースバンド信号変換器は、デジタル信号をアナログ信号に変換するように構成された、または、デジタルベースバンド信号をアナログ無線周波数信号に変換するように構成された、デジタル−アナログ変換器（Ｄｉｇｉｔａｌ−ｔｏ−Ａｎａｌｏｇ  Ｃｏｎｖｅｒｔｅｒ、ＤＡＣ）を含む。オプションで、ベースバンド信号変換器は、ベースバンド信号を無線周波数帯に変調し、無線周波数信号を取得するように構成された、変調器をさらに含んでよい。
【００１６】
可能な設計において、プリコーディングおよびベースバンド信号変換部は、第２のベースバンド信号をプリコーディングされた無線周波数信号に変換するように構成された、デジタル−アナログ変換器を含む。オプションで、プリコーディングおよびベースバンド信号変換部は、第２のベースバンド信号をＮ個のチャネルのプリコーディングされた無線周波数信号に別々に変換するように構成された、Ｎ個のデジタル−アナログ変換器を含んでよい。
【００１７】
可能な設計において、デジタルプリディストーション処理装置は、プリコーディングされた無線周波数信号を受信し、プリコーディングされた無線周波数信号を増幅し、増幅されたプリコーディングされた無線周波数信号をアンテナに送信するように構成された、電力増幅器をさらに含んでよい。オプションで、デジタルプリディストーション処理装置は、Ｎ個のチャネルのプリコーディングされた無線周波数信号をそれぞれ増幅するように構成された、Ｎ個の電力増幅器を含んでよい。
【００１８】
第２の態様によると、本願の一実施形態は、第１の態様の１つに記載のデジタルプリディストーション処理装置または第１の態様の可能な設計と、アンテナとを含む、無線送受信装置を提供する。
【００１９】
第３の態様によると、本願の一実施形態は、第２の態様に記載の無線送受信装置を含む、基地局を提供する。
【００２０】
第４の態様によると、本願は、第１の態様のいずれか１つに記載のデジタルプリディストーション処理装置または第１の態様の可能な設計を実装するように構成された、チップシステムを提供する。チップシステムはチップを含み得、またはチップおよび別のディスクリートデバイスを含み得る。チップは、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）であり得、または別の形態のチップであり得る。オプションで、チップシステムは、上述の態様において説明された機能、例えば、上述の態様に関与する信号および／またはパラメータを獲得することと、上述の態様におけるデジタルプリディストーション処理プロセスを実行することと、を実装するデジタルプリディストーション処理装置をサポートするように構成されたプロセッサをさらに含んでよい。可能な設計において、チップシステムはさらにメモリを含む。メモリは、デジタルプリディストーション処理装置に必須なプログラム命令およびデータを格納するように構成される。
【００２１】
第５の態様によると、本願の一実施形態は、プリディストーションパラメータに基づいて第１のベースバンド信号でデジタルプリディストーション処理を実行し、第２のベースバンド信号を取得する段階と、プリコーディング行列に基づいて第２のベースバンド信号でプリコーディングおよびベースバンド信号変換処理を実行し、Ｎ個のチャネルのプリコーディングされた無線周波数信号を取得する段階であって、ここで、Ｎ≧１である段階と、Ｎ個のチャネルのプリコーディングされた無線周波数信号を、電力増幅器を用いることによって増幅する段階と、電力増幅器によって増幅されたＮ個のチャネルの無線周波数信号をフィードバックリンクに結合して、Ｎ個のチャネルの無線周波数信号をＮ個のチャネルの第３のベースバンド信号に変換する段階と、Ｎ個のチャネルの第３のベースバンド信号をデプリコーディングして、第４のベースバンド信号を取得する段階と、第１のベースバンド信号および第４のベースバンド信号に基づいてプリディストーションパラメータを計算する段階とを含む、デジタルプリディストーション処理方法を提供する。オプションで、第１のベースバンド信号は、サービス信号であってよく、または、デジタルプリディストーション処理に専用で用いられる信号であってよい。
【００２２】
可能な設計において、電力増幅器によって増幅されたＮ個のチャネルの無線周波数信号をフィードバックリンクに結合する段階は、電力増幅器によって出力されたＮ個のチャネルの無線周波数信号をフィードバックリンクに結合する段階、または、アンテナによって送信されるべきＮ個のチャネルの無線周波数信号をフィードバックリンクに結合する段階を含む。
【００２３】
可能な設計において、第１のベースバンド信号は周期的な信号である。オプションで、周期的な第１のベースバンド信号はサービス信号であってよく、または、デジタルプリディストーション処理に専用で用いられる信号であってよい。
【００２４】
可能な設計において、電力増幅器によって増幅されたＮ個のチャネルの無線周波数信号をフィードバックリンクに結合する段階と、Ｎ個のチャネルの無線周波数信号をＮ個のチャネルの第３のベースバンド信号に変換する段階とは、無線周波数信号結合をＭ回、およびフィードバック信号変換をＭ回実行することによって、電力増幅器によって増幅されたＮ個のチャネルの無線周波数信号をフィードバックリンクに結合する段階と、Ｎ個のチャネルの無線周波数信号をＮ個のチャネルの第３のベースバンド信号に変換する段階とを含み、ここで、１≦Ｍ≦Ｎである。オプションで、Ｍ回の無線周波数信号結合の間、Ｎ個のチャネルの増幅された無線周波数信号は一回ごとにフィードバックリンクに結合され、Ｍ回のフィードバック信号変換の間、フィードバックリンクに結合された少なくとも１つのチャネルの無線周波数信号が選択されて、一回ごとに第３のベースバンド信号に変換される。オプションで、Ｍ回の無線周波数信号結合の間、少なくとも１つのチャネルの増幅された無線周波数信号は一回ごとにフィードバックリンクに結合され、Ｍ回のフィードバック信号変換の間、フィードバックリンクに結合された少なくとも１つのチャネルの無線周波数信号が、一回ごとに第３のベースバンド信号に変換される。Ｎ個のチャネルの無線周波数信号は、フィードバックリンクに結合され得、１つのフィードバック処理においてＮ個のチャネルの第３のベースバンド信号に変換され得る。この処理の態様において、処理の遅れは小さく、デジタルプリディストーション処理は一回ごとにより速く完了し得、デジタルプリディストーション処理性能はさらに改善される。代わりに、Ｎ個のチャネルの無線周波数信号は、少なくとも２つのフィードバック処理においてフィードバックリンクに結合され得、Ｎ個のチャネルの第３のベースバンド信号に変換され得る。この処理の態様は、フィードバックリンクに結合されてベースバンド信号に変換されるとき、同じ処理リンクを時間で分割する複数のチャネルの無線周波数信号をサポートし得、さらに、フィードバックリンクのハードウェアのコストおよび実装の複雑性を縮小し得る。オプションで、同じ第１のベースバンド信号は周期的なベースバンド信号の送信と協調することによって、周期的にＭ回送信され得、送信された第１のベースバンド信号で、一回ごとに同じプリコーディング処理が実行され、フィードバックリンクにおける少なくとも１つのチャネルの無線周波数信号は、対応する第３のベースバンド信号に一回ごとに変換され、フィードバックおよび変換がＭ回実行された後、Ｎ個のチャネルの第３のベースバンド信号が取得される。
【００２５】
可能な設計において、プリコーディング行列に基づいて第２のベースバンド信号でプリコーディングおよびベースバンド信号変換処理を実行する段階は、第２のベースバンド信号で振幅および／または位相調整を実行して、Ｎ個のチャネルのプリコーディングされたベースバンド信号を取得する段階と、Ｎ個のチャネルのプリコーディングされたベースバンド信号を、Ｎ個のチャネルのプリコーディングされた無線周波数信号に変換する段階とを含む。
【００２６】
可能な設計において、プリコーディング行列に基づいて第２のベースバンド信号でプリコーディングおよびベースバンド信号変換処理を実行する段階は、第２のベースバンド信号をＮ個のチャネルの無線周波数信号に変換する段階と、プリコーディング行列に基づいてＮ個のチャネルの無線周波数信号で振幅および／または位相調整を実行し、Ｎ個のチャネルのプリコーディングされた無線周波数信号を取得する段階と、を含む。オプションで、第２のベースバンド信号は、別々にＮ個のチャネルの無線周波数信号に変換されてよく、そして、振幅および／または位相調整、すなわち、プリコーディング処理は、プリコーディング行列に基づいてＮ個のチャネルの無線周波数信号上で実行される。代わりに、第２のベースバンド信号は１個のチャネルの無線周波数信号に変換されてよく、そしてそのチャネルの無線周波数信号はＮ個のチャネルの同じ無線周波数信号に分割され、Ｎ個のチャネルの無線周波数信号がプリコーディングされる。この処理の態様は、処理リンクのハードウェアのコストおよび実装の複雑性をさらに縮小し得る。
【００２７】
第６の態様によると、本願の一実施形態はデジタルプリディストーション処理装置を提供する。デジタルプリディストーション処理装置は、第５の態様における任意の方法を実装する機能を有する。機能はハードウェアを用いることによって実装されてよく、または対応するソフトウェアを実行することによってハードウェアによって実装されてよい。ハードウェアまたはソフトウェアは、前述の機能に対応する１または複数のモジュールを含む。
【００２８】
第７の態様によると、本願の一実施形態は、上述のデジタルプリディストーション処理装置によって用いられるコンピュータソフトウェア命令を格納するように構成された、コンピュータ記憶媒体を提供する。コンピュータソフトウェア命令は、上述の態様を実行するように設計されたプログラムを含む。
【００２９】
従来技術と比較して、本願の複数の実施形態において提供されるデジタルプリディストーション処理方法および装置によると、マルチチャネルＰＡのプリディストーション処理が、１つのフィードバックリンクおよび１つのデジタルプリディストーション処理器を用いることによるデプリコーディング処理によってサポートされ得、ＰＡによってプリコーディングおよび増幅された後、フィードバックリンクにおけるフィードバック信号は受信端部で受信された信号と一層同様であり、信号はプリディストーションパラメータを計算するために用いられ、デジタルプリディストーション処理に適用される。このように、送信信号のスペクトル漏れ抑制効果がさらに改善され得、ＥＶＭが減少し得る。言い換えれば、受信端部において受信された信号のＳＩＮＲが増加する。加えて、オプションで、マルチチャネルＰＡはさらに、周期的な専用ベースバンド信号を用いることによってフィードバックリンクを時間で分割してよい。このことは、フィードバックリンクの実装および処理の複雑性をさらに縮小する。結果として、本願の複数の実施形態において提供されるデジタルプリディストーション処理方法および装置によると、送信デバイスの実装のコストおよび複雑性が減少し、マルチトランジットチャネル電力増幅器の出力線形性および効率が改善され、システム性能全体はさらに改善される。
【図面の簡単な説明】
【００３０】
以下は、添付の図面を参照して本願の実施形態を説明するものである。
【図１】本願の一実施形態を適用する基地局の概略構造図である。
【図２】本願の一実施形態によるデジタルプリディストーション処理装置の概略構造図である。
【図３】本願の一実施形態による別のデジタルプリディストーション処理装置の概略構造図である。
【図４】本願の一実施形態による、なおも別のデジタルプリディストーション処理装置の概略構造図である。
【図５】本願の一実施形態による、さらに別のデジタルプリディストーション処理装置の概略構造図である。
【図６】本願の一実施形態によるプリコーディングおよびベースバンド信号変換部の概略構造図である。
【図７】本願の一実施形態による別のプリコーディングおよびベースバンド信号変換部の概略構造図である。
【図８】本願の一実施形態による、なおも別のプリコーディングおよびベースバンド信号変換部の概略構造図である。
【図９】本願の一実施形態によるデジタルプリディストーション処理方法のフローチャートである。
【発明を実施するための形態】
【００３１】
以下は、添付の図面を参照して本願の実施形態を説明するものである。
【００３２】
本願の複数の実施形態は、ロングタームエボリューション（Ｌｏｎｇ  Ｔｅｒｍ  Ｅｖｏｌｕｔｉｏｎ、ＬＴＥ）システムに適用され得、および、それに続く次世代システム、例えば、５Ｇ（５ｔｈ  Ｇｅｎｅｒａｔｉｏｎ  Ｍｏｂｉｌｅ  Ｃｏｍｍｕｎｉｃａｔｉｏｎ、第５世代モバイル通信）システムは、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、およびモバイル通信のためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））などの無線通信システムに適用され得、または、デジタルプリディストーション処理が実装される必要がある別の通信システムに適用され得る。本願の複数の実施形態において提供される解決方法および／または装置を適用するネットワークデバイスは、一般に、無線通信システムにおける基地局であり、または、デジタルプリディストーション処理が実装される必要がある別のデバイスまたは装置であってよい。本願における基地局は、マクロ基地局、マイクロ基地局、中継局、アクセスポイント、遠隔無線ユニット（Ｒｅｍｏｔｅ  Ｒａｄｉｏ  Ｕｎｉｔ、ＲＲＵ）、または様々な形態の同様のものを含んでよい。異なるシステムにおいて、基地局の機能を有するデバイスは異なる名前を有してよい。例えば、ＬＴＥネットワークにおいて、デバイスは次世代ノードＢ（ｅｖｏｌｖｅｄ  ＮｏｄｅＢ、ｅＮＢまたはｅＮｏｄｅＢ）と称され、３Ｇ（３ｒｄ  Ｇｅｎｅｒａｔｉｏｎ、第３世代）ネットワークにおいて、デバイスはノードＢ（ＮｏｄｅＢ）と称される。
【００３３】
図１は、本願の一実施形態を適用し得る基地局の概略構造図である。基地局は、ベースバンドユニット（Ｂａｓｅｂａｎｄ  Ｕｎｉｔ、ＢＢＵ）と、ＢＢＵに接続された少なくとも１つのＲＲＵと、ＲＲＵに接続されたアンテナとを含む。各ＲＲＵは、少なくとも１つの送信リンクおよび少なくとも１つの受信リンクを含み得る。送信リンクにおいて、ＢＢＵによって処理されたベースバンド信号は、ＢＢＵとＲＲＵとの間のインタフェースを介してＲＲＵに送信される。ベースバンド信号がＲＲＵの送信リンクにおいて処理された後、無線周波数信号が取得される。無線周波数信号はアンテナによって送信される。受信リンクにおいて、アンテナによって受信された無線信号がＲＲＵの受信リンクにおいて処理され、ベースバンド信号に変換される。ベースバンド信号はＢＢＵとＲＲＵとの間のインタフェースを介してＢＢＵに送信される。ベースバンド信号はＢＢＵにおいて処理される。送信リンクにおいて、ＢＢＵによって実行される信号処理は、プリコーディング、変調、および同様のものを含み、ＲＲＵによって実行される信号処理は、クリッピング処理、デジタルプリディストーション処理、プリコーディング、アップコンバージョン、増幅、および同様のものを含む。受信リンクにおいて、ＲＲＵによって実行される信号処理は、低ノイズ増幅処理、ダウンコンバージョン、および同様のものを含み、ＢＢＵによって実行される信号処理は、均一化、復調、デコーディング、および同様のものを含む。ＢＢＵおよび／またはＲＲＵの、具体的な信号処理アルゴリズムおよび具体的な信号処理シーケンスは、本願に限定されるものではない。オプションで、基地局はさらに別の構成形態を有してよい。例えば、基地局はＢＢＵおよび無線ユニット（Ｒａｄｉｏ  Ｕｎｉｔ、ＲＵ）を含み、または、ＢＢＵおよび無線周波数ユニット（Ｒａｄｉｏ  Ｆｒｅｑｕｅｎｃｙ  Ｕｎｉｔ、ＲＦＵ）を含む。これは、本願に限定されるものではない。
【００３４】
一例において、本願の複数の実施形態において提供される、デジタルプリディストーション処理方法および／または装置は、ＲＲＵの送信リンクにおける処理に適用されてよい。
【００３５】
図２は、本願の一実施形態によるデジタルプリディストーション処理装置の概略構造図である。デジタルプリディストーション処理装置は、デジタルプリディストーション（ＤＰＤ）処理器、プリコーディングおよびベースバンド信号変換部、フィードバック信号変換部、デプリコーダ、およびプリディストーションパラメータ計算部を含む。デジタルプリディストーション処理装置の信号流および信号処理プロセスを示すように、図２から図５はさらに、電力増幅器（ＰＡ）またはＰＡおよびアンテナを示すことに留意されたい。オプションで、本願のこの実施形態におけるデジタルプリディストーション処理装置は、さらにＰＡを含んでよい。
【００３６】
ＤＰＤ処理器は、１個のチャネルのデジタルベースバンド信号を受信する。ベースバンド信号は、サービスデータを搬送するＯＦＤＭ信号などのサービス信号、またはＤＰＤ処理に専用で用いられる信号であり得る。専用信号も、またＯＦＤＭ信号であり得る。ＤＰＤ処理器は、現在記憶されているプリディストーションパラメータを用いることによってベースバンド信号でプリディストーション処理を実行し、処理されたベースバンド信号をプリコーディングおよびベースバンド信号変換部へ送信する。プリコーディングおよびベースバンド信号変換部は、ＤＰＤ処理を受けるベースバンド信号でプリコーディングおよびベースバンド信号変換処理を実行し、Ｎ個のチャネルのプリコーディングされたアナログ無線周波数信号を取得し、Ｎ個のチャネルのプリコーディングされたアナログ無線周波数信号を、増幅のためにＰＡに送信する。ＰＡによって増幅されたＮ個のチャネルの無線周波数信号は、送信のためにアンテナに送信される。オプションで、ベースバンド信号がＤＰＤ処理に専用で用いられる信号である場合、ＰＡによって増幅されたＮ個のチャネルの無線周波数信号は、受信端部へ送信されなくてもよい。ＰＡによって増幅されたＮ個のチャネルの無線周波数信号は、フィードバックリンクにさらにフィードバックされる。本願のこの実施形態におけるフィードバックリンクは、図２の破線ボックス内に示され、フィードバック信号変換部、デプリコーダ、プリディストーションパラメータ計算部、およびこれら３つの部分の間の信号送信経路を含むリンクである。フィードバック信号変換部は、ＰＡによって増幅された無線周波数信号を、フィードバックリンクにおけるＮ個のチャネルのデジタルベースバンド信号に変換し、そして、Ｎ個のチャネルのデジタルベースバンド信号をデプリコーダに送信する。デプリコーダは、プリコーディングおよびベースバンド信号変換部によって用いられるものと同じプリコーディング行列を用いることによって、フィードバックリンクにおけるＮ個のチャネルのデジタルベースバンド信号をデプリコーディングし、１個のチャネルのベースバンド信号を取得し、ベースバンド信号のチャネルをプリディストーションパラメータ計算部に送信する。プリディストーションパラメータ計算部は、フィードバックリンクにおけるベースバンド信号と、ＤＰＤ処理を受けていないベースバンド信号とに基づいてプリディストーションパラメータを計算し、そして、プリディストーションパラメータを更新のためにＤＰＤ処理器に送信し、これによって、ＤＰＤ処理器は新しいプリディストーションパラメータを用いて、次のプリディストーション処理を実行する。
【００３７】
オプションで、プリディストーション処理装置は、カプラ、例えば、Ｎ個のチャネルの増幅された無線周波数信号をフィードバックリンクに結合するように構成された方向性カプラを、さらに含んでよい。
【００３８】
オプションで、図２に示されるＤＰＤ処理装置におけるプリコーディングおよびベースバンド信号変換部は、複数の方式において実装され得る。
【００３９】
一例において、図２に示されるように、プリコーディングおよびベースバンド信号変換部はＮ個の位相シフタおよびＮ個のベースバンド信号変換器を含む。ＤＰＤ処理を受けるデジタルベースバンド信号は、Ｎ個の位相シフタへそれぞれ送信される。Ｎ個の位相シフタは、それぞれ、プリコーディング行列に基づいて、デジタル信号で振幅および／または位相調整を実行し、プリコーディングを完了する。Ｎ個のチャネルのプリコーディングされたデジタルベースバンド信号は、デジタル−アナログ変換および無線周波数シフトのために、Ｎ個のベースバンド信号変換器へとそれぞれ送信され、これによって、Ｎ個のチャネルのプリコーディングされたデジタルベースバンド信号は、Ｎ個のチャネルのプリコーディングされた無線周波数信号に変換される。オプションで、この例において、位相シフタはデジタル位相シフタである。
【００４０】
ベースバンド信号変換器は、デジタル−アナログ変換を実行するように構成された、デジタル−アナログ変換器（ＤＡＣ）を含み得る。オプションで、Ｎ個のチャネルのプリコーディングされたデジタルベースバンド信号は、Ｎ個のＤＡＣにそれぞれ送信される。デジタル−アナログ変換を実行する前に、ＤＡＣは、ＤＡＣに含まれる数値制御オシレータ（Ｎｕｍｅｒｉｃａｌｌｙ  Ｃｏｎｔｒｏｌｌｅｄ  Ｏｓｃｉｌｌａｔｏｒ、ＮＣＯ）を用いることによってデジタルベースバンド信号の無線周波数シフトを実行し得、そして、デジタル−アナログ変換を実行し得る。具体的には、ＤＡＣはＮ個のチャネルのプリコーディングされたデジタルベースバンド信号を、Ｎ個のチャネルのプリコーディングされた無線周波数信号に変換する。
【００４１】
オプションで、ベースバンド信号変換器は、Ｎ個の変調器をさらに含んでよい。変調器は、変調方式において、アナログ信号で無線周波数シフトを実行するように構成される。ベースバンド信号変換器が変調器を含むとき、ＤＡＣはデジタル−アナログ変換を実行するようにのみ構成される。Ｎ個のチャネルのプリコーディングされたデジタルベースバンド信号が、Ｎ個のＤＡＣにそれぞれ送信され、そして、ＤＡＣがデジタル−アナログ変換を実行した後に変調器に送信される。変調器は、具体的には、Ｎ個のチャネルのプリコーディングされた無線周波数信号を取得するために、受信されたアナログ信号を無線周波数信号に変調する。
【００４２】
別の例において、図６に示されるように、プリコーディングおよびベースバンド信号変換部はＮ個のベースバンド信号変換器およびＮ個の位相シフタを含む。図２に示される、プリコーディングおよびベースバンド信号変換部との相違は、ベースバンド信号変換器が位相シフタの前に配置されることである。ＤＰＤ処理を受けるデジタルベースバンド信号は、Ｎ個のベースバンド信号変換器にそれぞれ送信され、これによって、デジタルベースバンド信号はＮ個のチャネルのアナログ無線周波数信号に変換される。そして、Ｎ個のチャネルのアナログ無線周波数信号は、Ｎ個の位相シフタへ送信される。Ｎ個の位相シフタは、プリコーディング行列に基づいて、Ｎ個のチャネルのアナログ無線周波数信号の振幅および／または位相調整をそれぞれ実行し、Ｎ個のチャネルのプリコーディングされた無線周波数信号を取得する。オプションで、この例において、位相シフタはアナログ位相シフタである。ベースバンド信号変換器の実装および信号処理方式は、図２の対応する例におけるこれらと同一である。詳細はあらためては説明しない。
【００４３】
別の例において、図７に示されるように、プリコーディングおよびベースバンド信号変換部はＮ個のＤＡＣを含む。ＤＡＣは、デジタルベースバンド信号で実行されるプリコーディング、無線周波数シフト、およびデジタル−アナログ変換を完了する。具体的には、ＤＰＤ処理を受けるベースバンド信号は、Ｎ個のＤＡＣにそれぞれ送信される。ＤＡＣは、ＤＡＣに含まれるＮＣＯを用いることによって、ベースバンド信号で実行される無線周波数シフトおよび、振幅および／または位相調整を完了し、そしてデジタル−アナログ変換を実行し、Ｎ個のチャネルのプリコーディングされたアナログ無線周波数信号を取得する。
【００４４】
なおも別の例において、図８に示されるように、プリコーディングおよびベースバンド信号変換部は１つのベースバンド信号変換器、電力スプリッタ、およびＮ個の位相シフタを含む。ＤＰＤ処理を受けるベースバンド信号は、ベースバンド信号変換器を用いることによって１個のチャネルのアナログ無線周波数信号に変換され、そして、電力スプリッタを用いることによって、Ｎ個のチャネルのアナログ無線周波数信号に分割される。Ｎ個の位相シフタは、プリコーディング行列に基づいて、Ｎ個のチャネルのアナログ無線周波数信号の振幅および／または位相調整をそれぞれ実行し、Ｎ個のチャネルのプリコーディングされた無線周波数信号を取得する。ベースバンド信号変換器の実装および信号処理方式は、図２の対応する例におけるこれらと同一である。オプションで、この例において、位相シフタはアナログ位相シフタである。
【００４５】
オプションで、図６から図８に各々示されるプリコーディングおよびベースバンド信号変換部が、図２のプリコーディングおよびベースバンド信号変換部と置き換わってよい。オプションで、上述プリコーディングおよびベースバンド信号変換部の異なる実装が、さらに混合されてよい。例えば、図２に示されるプリコーディングおよびベースバンド信号変換部は、１個のチャネルのデジタルベースバンド信号またはいくつかのチャネルのデジタルベースバンド信号のために用いられ、図６に示されるプリコーディングおよびベースバンド信号変換部は、残りの１個のチャネルのデジタルベースバンド信号または残りのいくつかのチャネルのデジタルベースバンド信号のために用いられる。
【００４６】
可能な実装において、複数のチャネルの信号は、ベースバンド信号変換器および／または位相シフタをさらに共有してよく、確実に、ＤＡＣを共有してよい。図２は例として用いられ、プリコーディングおよびベースバンド信号変換部は、個数がＮより小さい位相シフタ、および／または、個数がＮより小さいベースバンド信号変換器を含んでよい。この場合、Ｎ個のチャネルのベースバンド信号において、少なくとも２個のチャネルの信号が１つの位相シフタおよび／または１つのベースバンド信号変換器を共有する。位相シフタに含まれる具体的な数、ベースバンド信号変換器に含まれる具体的な数、および上述の構成要素を共有する信号の方式は、具体的な要件に基づいて設計されてよい。これは、本願に限定されるものではない。同様に、図６から図８のプリコーディングおよびベースバンド信号変換部は、同様の方式で設計されてよい。詳細はあらためては説明しない。
【００４７】
オプションで、図２に示されるＤＰＤ処理装置におけるフィードバック信号変換部は、異なる方式でもまた実装され得る。
【００４８】
一例において、図２に示されるように、フィードバック信号変換部は、フィードバックリンクにおけるＮ個のチャネルの無線周波数信号を、１つのＤＰＤ処理プロセスにおけるＮ個のチャネルのデジタルベースバンド信号に変換し、Ｎ個のチャネルのデジタルベースバンド信号をデプリコーダに送信するように構成された、Ｎ個の無線周波数信号変換器を含む。
【００４９】
無線周波数信号変換器は、アナログ−デジタル変換を実行するように構成された、アナログ−デジタル変換器（ＡＤＣ）を含む。オプションで、ＡＤＣは、ＡＤＣに含まれるＮＣＯを用いることによって無線周波数信号でダウンコンバージョンをさらに実行してよく、そしてアナログ−デジタル変換を実行してよい。言い換えれば、アナログ無線周波数信号は、ＡＤＣを用いることによってデジタルベースバンド信号に直接変換され得る。
【００５０】
オプションで、無線周波数信号変換器はさらに、アナログ無線周波数信号でダウンコンバージョンを実行するように構成された、周波数混合器を含み得る。無線周波数信号変換器が周波数混合器を含むとき、ＡＤＣはアナログ−デジタル変換のみを実行するように構成される。フィードバックリンクにおけるアナログ無線周波数信号は、周波数混合器を用いることによってベースバンドにシフトされ、そしてアナログ−デジタル変換のためにＡＤＣに送信され、Ｎ個のチャネルのデジタルベースバンド信号を取得する。
【００５１】
別の例において、図４に示されるように、フィードバック信号変換部は１つの無線周波数信号変換器、およびマルチチャネルセレクタを含む。無線周波数信号変換器の実装および信号処理は、図２に示されるフィードバック信号変換部のこれらと同一である。マルチチャネルセレクタは、フィードバックリンクへと結合されたＮ個のチャネルの無線周波数信号から１個のチャネルの無線周波数信号を選択し、そのチャネルの無線周波数信号を処理のために無線周波数信号変換器へと送信するように構成される。フィードバック信号変換をＮ回実行した後、フィードバック信号変換部は、Ｎ個のチャネルの無線周波数信号すべてをベースバンド信号に変換し得、ベースバンド信号をデプリコーダに送信し得る。この例において、ＤＰＤ処理器およびプリコーディングおよびベースバンド信号変換部は、同じベースバンド信号でＮ回同じ処理を実行し得、例えば、同じプリディストーションパラメータおよび同じプリコーディング行列を用いることによってベースバンド信号の処理を実行し得、Ｎ個のチャネルの増幅された無線周波数信号がＮ回の処理プロセスにおいて同一であることを保証し得る。これによって、フィードバック信号変換部は、各処理プロセスにおいて１個のチャネルの無線周波数信号のみを処理し得、Ｎ回の処理プロセスにおいてＮ個のチャネルの無線周波数信号の転換を完了する。オプションで、Ｎ回の処理プロセスにおいてＤＰＤ処理器によって取得された同じベースバンド信号は、Ｎ回取得された同一のサービスデータであってよく、または、ＤＰＤ処理に専用で用いられた周期的な信号であってよい。
【００５２】
オプションで、フィードバック信号変換部は少なくとも２個の無線周波数信号コンバータおよびマルチチャネルセレクタを含む。マルチチャネルセレクタは、処理プロセスごとに少なくとも１つのチャネルの無線周波数信号を選択し得、処理のために、少なくとも１つのチャネルの無線周波数信号を少なくとも２個の無線周波数信号コンバータに送信する。
【００５３】
オプションで、Ｎ個のチャネルの増幅された無線周波数信号をフィードバックリンクに結合する処理において、選択が実行され得る。例えば、少なくとも１つのチャネルの無線周波数信号が、一回ごとに選択されてフィードバックリンクに結合され、Ｎ個のチャネルの無線周波数信号すべては、少なくとも２回結合を実行することによってフィードバックリンクに結合される。
【００５４】
オプションで、図４に示されるフィードバック信号変換部および図２のフィードバック信号変換部は、交換可能であってよい。オプションで、フィードバック信号変換部の異なる実装は、さらに混合されてよい。例えば、図２に示されるフィードバック信号装置は、１個のチャネルのデジタルベースバンド信号の、またはいくつかのチャネルのデジタルベースバンド信号に関して用いられ、図４に示されるフィードバック信号変換部は、残りの１個のチャネルのデジタルベースバンド信号または残りのいくつかのチャネルのデジタルベースバンド信号に関して用いられる。プリコーディングおよびベースバンド信号変換部と同様に、フィードバック信号変換部もまた、複数のチャネルの信号の多重化を実装して、物理的構成要素およびリンクの複雑性を縮小する、無線周波数信号変換器であり得る。詳細は本明細書では説明しない。
【００５５】
図３は、本願の一実施形態による別のデジタルプリディストーション処理装置の概略構造図である。図３に対応するデジタルプリディストーション処理装置と図２に対応するものとの間の差は、デジタルプリディストーション処理装置が、送信されるべき無線周波数信号を、処理のためにアンテナポートからフィードバックリンクに結合することである。オプションで、デジタルプリディストーション処理装置は、無線周波数信号をアンテナポートからフィードバックリンクへ結合するように構成されたカプラをさらに含んでよい。オプションで、カプラは方向性カプラまたは導波路カプラであってよい。図３に対応するデジタルプリディストーション処理装置の、別の構造、実装、および信号処理方式は、図２に対応する実施形態におけるデジタルプリディストーション処理装置のこれらと同一である。詳細はあらためては説明しない。
【００５６】
図４は、本願の一実施形態による、なおも別のデジタルプリディストーション処理装置の概略構造図である。図２との相違は、図４に対応する実施形態におけるデジタルプリディストーション処理装置は、プリディストーションキャリブレーション信号送信部をさらに含むことである。プリディストーションキャリブレーション信号送信部は、ＤＰＤ処理に専用で用いられるベースバンド信号を送信するように構成される。オプションで、専用ベースバンド信号はＯＦＤＭ信号であってよく、または、別のタイプのベースバンド信号であってよい。オプションで、ベースバンド信号は周期的であってよく、具体的には、ある期間、特定のインターバルで繰り返される信号であってよい。
【００５７】
一例において、ＤＰＤ処理を完了するために、プリディストーションキャリブレーション信号送信部は同じ信号をＮ回送信し、ＤＰＤ処理器、プリコーディングおよびベースバンド信号変換部、およびＰＡは、Ｎ個の同じベースバンド信号で同じ処理をＮ回実行する。フィードバック信号変換部は、Ｎ個のチャネルの増幅された無線周波数信号を、一回ごとにフィードバックリンクに結合し、変換およびデプリコーダへの送信のために、１個のチャネルの増幅された無線周波数信号を選択する。Ｎ回処理を実行した後、フィードバック信号変換部は、ＰＡによって増幅されたＮ個のチャネルの信号すべてをフィードバックリンクへ結合し、Ｎ個のチャネルの信号をベースバンド信号に変換し、ベースバンド信号をデプリコーダへ送信する。デプリコーダは、プリコーディングおよびベースバンド信号変換部によって用いられるものと同じプリコーディング行列を用いることによって、Ｎ個のチャネルのベースバンド信号をデプリコーディングし、１個のチャネルのベースバンド信号を取得し、ベースバンド信号のチャネルをプリディストーションパラメータ計算部に送信する。プリディストーションパラメータ計算部は、デプリコーダによって送信されたベースバンド信号と、プリディストーションキャリブレーション信号送信部によって送信され、ＤＰＤ処理を受けていないベースバンド信号とに基づいてプリディストーションパラメータを計算し、更新のためにプリディストーションパラメータをＤＰＤ処理器に送信する。
【００５８】
オプションで、フィードバック信号変換部がマルチチャネルセレクタおよび少なくとも２個の無線周波数信号コンバータを含むとき、フィードバック信号変換部は一回ごとの変換のために少なくとも２個のチャネルの無線周波数信号を選択してよく、Ｍ回（Ｍ＜Ｎ）の変換を実行することによってＮ個のチャネルの無線周波数信号の転換を完了する。これに応じて、プリディストーションキャリブレーション信号送信部は、ＤＰＤ処理を完了するために、同じ信号をＭ回送信する必要がある。
【００５９】
別の例において、プリディストーションキャリブレーション信号送信部は、代わりに、非周期的なベースバンド信号を送信し得る。この場合、フィードバック信号変換部は、図２に示される実装を用いてよい。
【００６０】
図４に示される別の構造、実装、および信号処理方式は、図２に対応する実施形態におけるこれらと同一である。詳細はあらためて説明しない。
【００６１】
図５は、本願の一実施形態による、さらに別のデジタルプリディストーション処理装置の概略構造図である。図５に対応する実施形態と図４に対応するものとの間の差は、デジタルプリディストーション処理装置が、アンテナポートからの、送信されるべき無線周波数信号を、処理のためにフィードバックリンクに結合することである。具体的な結合方式は、図３に対応する実施形態のものと同一である。図５に示される別の構造、実装、および信号処理方式は、図４の対応する実施形態におけるこれらと同一である。詳細はあらためて説明しない。
【００６２】
図２から図８のそれぞれに示されるデジタルプリディストーション処理装置、またはデジタルプリディストーション処理装置に含まれる構成部は、本願の複数の実施形態を実装するための重要な構成部を含むにすぎないことに留意されたい。別のソフトウェア／ハードウェア処理モジュールが、システムの要件に基づいて、部品および／または構成要素の間にさらに配置され得る。例えば、ＰＡとアンテナとの間にデュプレクサがさらに配置され得、周波数混合器とＡＤＣとの間にフィルタがさらに配置され得る。
【００６３】
図２から図８のそれぞれに示されるデジタルプリディストーション処理装置、またはデジタルプリディストーション処理装置に含まれる構成部は、回路であり得る。回路は、チップシステムによって実装され得る。チップシステムは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）、または別のプログラム可能な論理デバイス、トランジスタ論理デバイス、ディスクリートデバイス、ハードウェア構成要素、または上述のデバイスの任意の組み合わせを含み得る。チップシステムは、本願において開示されたコンテンツを参照して説明された、様々な例のロジカルブロック、モジュール、および回路を実装または実施し得る。装置は、代わりに、計算機能を実装するための組み合わせ、例えば１または複数のマイクロプロセッサを含む組み合わせ、またはＤＳＰおよびマイクロプロセッサの組み合わせであり得る。具体例において、本願の複数の実施形態において提供されるデジタルプリディストーション処理装置は、ＲＲＵにおけるデジタルチップおよびアナログ無線周波数チップによってまとめて実装され得る。デジタルチップは、先述の実施形態におけるデジタル信号処理構成要素を実装するように構成される。アナログ無線周波数チップは、先述の実施形態におけるアナログ信号および／または無線周波数信号を処理するための構成要素を実装するように構成される。オプションで、アナログ無線周波数チップは、中間周波数信号処理チップおよび無線周波数信号処理チップをさらに含んでよい。
【００６４】
図９は、本願の一実施形態によるデジタルプリディストーション処理方法のフローチャートである。
【００６５】
段階９０１：プリディストーションパラメータに基づいて第１のベースバンド信号でデジタルプリディストーション処理を実行し、第２のベースバンド信号を取得する。
【００６６】
一例において、第１のベースバンド信号はサービス信号であってよい。具体例において、第１のベースバンド信号はＢＢＵによってＲＲＵへ送信されたベースバンド信号であってよい。ベースバンド信号は、特定のサービスデータを搬送し、例えば、ユーザダウンリンクデータを搬送する直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）信号であってよい。
【００６７】
別の例において、第１のベースバンド信号はデジタルプリディストーション処理に専用で用いられるベースバンド信号であってよい。専用ベースバンド信号は、ＢＢＵから送信されてよく、ＲＲＵは、信号がデジタルプリディストーション処理に専用で用いられるベースバンド信号であると示される。代わりに、専用ベースバンド信号は、ＲＲＵによって生成または格納され、ＢＢＵの要件または命令に基づいて送信されてよい。例えば、第１のベースバンド信号はＯＦＤＭ信号であってよい。オプションで、デジタルプリディストーション処理に専用で用いられるベースバンド信号は、サービスアイドルタイムセグメントに送信されてよい。専用信号を用いることによる計算によって取得されたプリディストーションパラメータは、また、サービス信号でのデジタルプリディストーション処理の実行のプロセスに適用されてよい。例えば、サービスアイドルタイムセグメントにおいて、専用ベースバンド信号を用いることによる計算によって取得されたプリディストーションパラメータが、後続のサービス信号送信処理におけるサービス信号でのデジタルプリディストーション処理に用いられてよい。
【００６８】
オプションで、第１のベースバンド信号は周期的であってよく、これによって、デジタルプリディストーション処理装置は、第１のベースバンド信号を複数回処理することによって、複数の送信チャネルの無線周波数信号フィードバックを完了する。例えば、周期的な第１のベースバンド信号は周期的なサービス信号、例えば、インターバルをおいて繰り返し送信されるサービス信号であってよい。代わりに、周期的な第１のベースバンド信号は、要件に基づいて生成された、デジタルプリディストーション処理に専用で用いられる周期的なベースバンド信号であってよい。
【００６９】
段階９０２：プリコーディング行列に基づいて第２のベースバンド信号でプリコーディングおよびベースバンド信号変換処理を実行し、Ｎ個の（Ｎ≧１）チャネルのプリコーディングされた無線周波数信号を取得する。
【００７０】
一例において、プリコーディング行列は、ＢＢＵから取得されてよく、または、ＲＲＵに格納されてよい。例えば、２レベルプリコーディングアーキテクチャにおいて、ＲＲＵはまた、ベースバンド信号または無線周波数信号でプリコーディングオペレーションを実行する必要がある。具体的なプリコーディング行列は、ＢＢＵによって判断され、そしてＲＲＵに送信される。
【００７１】
一例において、第１のベースバンド信号が周期的な信号であるとき、同じ第１のベースバンド信号は、同じプリディストーションパラメータを複数回用いることによって処理されてよく、同じ第２のベースバンド信号を取得し、そして、プリコーディングおよびベースバンド信号変換処理が、同じプリコーディング行列を用いることによって第２のベースバンド信号で実行され、これによって、Ｎ個のチャネルの無線周波数信号は複数のフィードバック処理におけるフィードバックリンクに結合される。
【００７２】
オプションで、プリコーディングおよびベースバンド信号変換処理は、次の方法のうち１つを用いることによって第２のベースバンド信号で実行されてよい。
（１）第２のベースバンド信号は、まずプリコーディング行列に基づいてプリコーディングされ、Ｎ個のチャネルのプリコーディングされたベースバンド信号を取得し、そしてベースバンド信号変換、例えばデジタル−アナログ変換および無線周波数シフトが、Ｎ個のチャネルのプリコーディングされたベースバンド信号で実行され、Ｎ個のチャネルのプリコーディングされた無線周波数信号を取得する。
（２）第２のベースバンド信号は、まずベースバンド信号変換のためにＮ個のチャネルの信号に分割され、Ｎ個のチャネルの同じ無線周波数信号を取得し、そして、振幅および／または位相調整は、プリコーディング行列に基づいてＮ個のチャネルの同じ無線周波数信号で別々に実行され、Ｎ個のチャネルのプリコーディングされた無線周波数信号を取得する。
（３）ベースバンド信号変換は、まず第２のベースバンド信号で実行され、１個のチャネルの無線周波数信号を取得し、そして、そのチャネルの無線周波数信号はＮ個のチャネルの同じ無線周波数信号に分割され、振幅および／または位相調整は、プリコーディング行列に基づいてＮ個のチャネルの同じ無線周波数信号で別々に実行され、Ｎ個のチャネルのプリコーディングされた無線周波数信号を取得する。
（４）ベースバンド信号変換が第２のベースバンド信号で実行されたとき、振幅および／または位相調整は無線周波数シフト処理において実装され、Ｎ個のチャネルのプリコーディングされた無線周波数信号を取得する。
【００７３】
確かに、１個のチャネルのデジタルベースバンド信号は、別の方法を用いることによって、または別の処理プロセスにおいて、代わりにプリコーディングされてアナログ無線周波数信号に変換されてもよい。これは、本願に限定されるものではない。
段階９０３：電力増幅器を用いることによって、Ｎ個のチャネルのプリコーディングされた無線周波数信号を増幅する。
【００７４】
段階９０４：電力増幅器によって増幅されたＮ個のチャネルの無線周波数信号をフィードバックリンクに結合し、Ｎ個のチャネルの無線周波数信号をＮ個のチャネルの第３のベースバンド信号に変換する。
【００７５】
オプションで、電力増幅器によって増幅されたＮ個のチャネルの無線周波数信号すべてが、１つのフィードバック処理においてフィードバックリンクに結合されてよく、または、複数のフィードバック処理においてフィードバックリンクに結合されてよい。
【００７６】
一例において、段階９０１から段階９０３の処理は同じ第１のベースバンド信号（具体的には、周期的な第１のベースバンド信号）でＭ回（１≦Ｍ≦Ｎ）実行され、Ｎ個のチャネルの同じ増幅された無線周波数信号が一回ごとに取得され、少なくとも１つのチャネルの増幅された無線周波数信号が選択されて、一回ごとにフィードバックリンクに結合されてよく、Ｎ個のチャネルの増幅された無線周波数信号すべては、結合がＭ回実行された後にフィードバックリンクに結合される。
【００７７】
別の例において、段階９０１から段階９０３の処理は、同じ第１のベースバンド信号でＭ回実行され、Ｎ個のチャネルの同じ増幅された無線周波数信号は、一回ごとに取得され、Ｎ個のチャネルの増幅された無線周波数信号すべては、一回ごとにフィードバックリンクに結合される。
【００７８】
オプションで、フィードバックリンクにおけるＮ個のチャネルの無線周波数信号は、次の方法のうち１つを用いることによって、Ｎ個のチャネルの第３のベースバンド信号に変換されてよい。
（１）フィードバック信号変換、例えば、ダウンコンバージョンおよびデジタル−アナログ変換は、１つの処理プロセスにおいてＮ個のチャネルの無線周波数信号上で別々に実行され、Ｎ個のチャネルの第３のベースバンド信号を取得する。
（２）少なくとも１つのチャネルの無線周波数信号が、一回ごとに選択され、フィードバック信号変換が少なくとも１つのチャネルの無線周波数信号上で実行され、少なくとも１つのチャネルの第３のベースバンド信号を取得し、変換がＭ回実行され、Ｎ個のチャネルの第３のベースバンド信号を取得する。
【００７９】
段階９０５：段階９０２のものと同じプリコーディング行列を用いることによって、Ｎ個のチャネルの第３のベースバンド信号をデプリコーディングし、第４のベースバンド信号を取得する。オプションで、デプリコーディングの具体的な実装は以下にあるものでよい。プリコーディング行列の逆行列によってＮ個のチャネルの第３のベースバンド信号を乗じ、第４のベースバンド信号を取得する。デプリコーディングの具体的な実装は、本願に限定されるものではない。
【００８０】
段階９０６：第１のベースバンド信号および第４のベースバンド信号に基づいてプリディストーションパラメータを計算する。
【００８１】
オプションで、プリディストーションパラメータは、メモリ多項式モデルおよびボルテラ（Ｖｏｌｔｅｒｒａ）級数モデルなどのアルゴリズムを用いることによって計算されてよい。これは、本願に限定されるものではない。
【００８２】
オプションで、プリディストーションパラメータは、計算を通して取得されたプリディストーションパラメータを用いることによってアップデートされてよく、これによって、新しいプリディストーションパラメータが次のデジタルプリディストーション処理のために用いられる。
【００８３】
オプションで、段階９０１から段階９０６はデジタルプリディストーション処理装置、例えば、図２から図５のそれぞれにおいて示されるデジタルプリディストーション処理装置によって実行されてよく、または、システムまたはネットワークデバイスにおける別の装置、例えば、ＲＲＵにおけるデジタル処理装置、および／または、ＲＲＵにおける中間周波数処理装置および無線周波数処理装置によって実行されてよい。
【００８４】
本願に開示されたコンテンツにおいて説明された方法および装置は、ハードウェアを用いることによって実装され得、または、ソフトウェア命令を実行することによってプロセッサによって実装され得る。ソフトウェア命令は、対応するソフトウェアモジュールを含み得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルハードディスク、ＣＤ−ＲＯＭ、または、当該技術分野で既知の任意の他の形態の記憶媒体に記憶され得る。例えば、記憶媒体はプロセッサと結合され、これによって、プロセッサは記憶媒体から情報を読み出し、または、記憶媒体に情報を書き込む。確かに、記憶媒体はプロセッサの構成要素であってよい。オプションで、プロセッサおよび記憶媒体はＡＳＩＣ内に位置してよい。オプションで、ＡＳＩＣはＢＢＵ内に、および／またはＲＲＵ内に位置してよい。オプションで、プロセッサおよび記憶媒体は、ディスクリートなアセンブリとしてＢＢＵおよび／またはＲＲＵ内に存在してよい。
【００８５】
当業者は、上述の１または複数の例において、本願において説明された機能はハードウェア、ソフトウェア、ファームウェア、またはそれらの任意の組み合わせによって実装されてよいことを認識するであろう。本願がソフトウェアによって実装されるとき、前述の機能はコンピュータ可読媒体において記憶されてよいか、コンピュータ可読媒体内の１または複数の命令またはコードとして送信されてよい。コンピュータ可読媒体はコンピュータ記憶媒体および通信媒体を含む。通信媒体は、コンピュータプログラムが、１つの場所から別の場所へ送信されることを可能にする任意の媒体を含む。記憶媒体は、汎用または専用のコンピュータにアクセス可能な、任意の使用可能な媒体であり得る。
【００８６】
本願の目的、技術的解決法、および利点は、上述の具体的な実装において詳細にさらに説明される。上述の記載は、本願の具体的な実装にすぎないが、本願の保護範囲を限定するようには意図されないことが理解されるべきである。本願の技術的解決法に基づいて行われた、いかなる改変、同等の置換、または改善も、本願の保護範囲内に入るものとする。
【図１】
2019536381.tif 000003
【図２】
2019536381.tif 000004
【図３】
2019536381.tif 000005
【図４】
2019536381.tif 000006
【図５】
2019536381.tif 000007
【図６】
2019536381.tif 000008
【図７】
2019536381.tif 000009
【図８】
2019536381.tif 000010
【図９】
2019536381.tif 000011
【国際調査報告】
2019536381.tif 000012
2019536381.tif 000013
2019536381.tif 000014
2019536381.tif 000015
2019536381.tif 000016